【手続補正書】
【提出日】平成29年1月17日(2017.1.17)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）デバイスを動作させる方法であって、
前記ＵＥに情報を通信するアクセスポイントから光信号を受信することと、前記光信号は、ゲートウェイデバイスからの、前記ゲートウェイデバイスが電力線通信リンクを介して前記アクセスポイントに供給した、少なくともいくらかのデータを含む、
ワイヤレスアップリンクを含む通信チャネルを介して前記ＵＥデバイスから前記ゲートウェイデバイスにフィードバック情報を通信することと、前記フィードバック情報は前記受信された光信号の前記ＵＥによりなされた測定に少なくとも部分的に基づいて可視光通信（ＶＬＣ）チャネル品質情報を通信する、
を含む、方法。
【請求項２】
前記チャネル品質情報が、前記光信号を前記アクセスポイントから前記ＵＥデバイスに通信するために使用される光チャネルの品質の情報を提供する、請求項１に記載の方法。
【請求項３】
前記光信号に含まれる受信されたパイロット信号に基づいてＶＬＣ変調キャリアの信号対雑音比（ＳＮＲ）推定を実行すること
をさらに含む、請求項１に記載の方法。
【請求項４】
前記フィードバック情報が、前記光信号を通信するために使用される複数の光チャネル変調キャリアの各々について光チャネル変調キャリアごとのＳＮＲ情報を含む、請求項３に記載の方法。
【請求項５】
前記フィードバック情報が、推奨される変調コンステレーションサイズまたは将来のＶＬＣ送信中に前記アクセスポイントによって使用されることになる推奨されるコーディングレートを含む、請求項３に記載の方法。
【請求項６】
ユーザ機器（ＵＥ）デバイスであって、
前記ＵＥに情報を通信するアクセスポイントから光信号を受信するための手段と、前記光信号は、ゲートウェイデバイスからの、前記ゲートウェイデバイスが電力線通信リンクを介して前記アクセスポイントに供給した、少なくともいくらかのデータを含む、
ワイヤレスアップリンクを含む通信チャネルを介して前記ＵＥデバイスから前記ゲートウェイデバイスにフィードバック情報を通信するための手段と、前記フィードバック情報は前記受信された光信号の前記ＵＥによりなされた測定に少なくとも部分的に基づいて可視光通信（ＶＬＣ）チャネル品質情報を通信する、
を備える、ユーザ機器（ＵＥ）デバイス。
【請求項７】
ユーザ機器（ＵＥ）デバイスで使用するためのコンピュータプログラム製品であって、
少なくとも１つのコンピュータに、前記ＵＥに情報を通信するアクセスポイントから光信号を受信させるためのコードと、前記光信号は、ゲートウェイデバイスからの、前記ゲートウェイデバイスが電力線通信リンクを介して前記アクセスポイントに供給した、少なくともいくらかのデータを含む、
前記少なくとも１つのコンピュータに、ワイヤレスアップリンクを含む通信チャネルを介して前記ＵＥデバイスから前記ゲートウェイデバイスにフィードバック情報を通信させるためのコードと、前記フィードバック情報は前記受信された光信号の前記ＵＥによりなされた測定に少なくとも部分的に基づいて可視光通信（ＶＬＣ）チャネル品質情報を通信する、
を備える非一時的コンピュータ可読媒体
を備える、コンピュータプログラム製品。
【請求項８】
光アクセスポイントを動作させる方法であって、
受信された符号化された情報を復号して、ユーザ機器デバイスに通信されることになる情報を回復することと、
前記回復された情報を光チャネル品質情報の関数として符号化して、再符号化された情報を生成することと、前記再符号化された情報を生成するために使用される前記光チャネル品質情報は、前記光アクセスポイントからＵＥへの前の通信の前記ＵＥによってなされた測定に少なくとも部分的に基づく可視光通信（ＶＬＣ）チャネル品質情報を含む、
前記再符号化された情報を可視光通信（ＶＬＣ）チャネルを介して前記ユーザ機器デバイスに送信することと
を含む、方法。
【請求項９】
電力線通信（ＰＬＣ）チャネルを介して、前記符号化された情報および前記光チャネル品質情報を受信すること
をさらに含む、請求項８に記載の方法。
【請求項１０】
前記光チャネル品質情報が、ＶＬＣ変調キャリアごとのＳＮＲ情報を含み、そして、
前記符号化が、前記受信された変調キャリアＳＮＲ情報に基づいて変調キャリアごとのコーディング速度またはコンステレーションサイズを選択することを含む、
請求項９に記載の方法。
【請求項１１】
前記光チャネル品質情報に基づいて前記ＶＬＣ変調キャリアのうちの少なくともいくつかの送信電力を選択すること
をさらに含む、請求項１０に記載の方法。
【請求項１２】
ＰＬＣチャネル品質測定を実行してＰＬＣチャネル品質情報を生成することと、
前記ＰＬＣチャネル品質情報を符号化することと、
前記符号化されたＰＬＣチャネル品質情報を前記ユーザデバイスに前記ＶＬＣチャネルを介して送信することと
をさらに含む、請求項８に記載の方法。
【請求項１３】
光アクセスポイントであって、
受信された符号化された情報を復号して、ユーザ機器デバイスに通信されることになる情報を回復するための手段と、
前記回復された情報を光チャネル品質情報の関数として符号化して、再符号化された情報を生成するための手段と、前記再符号化された情報を生成するために使用される前記光チャネル品質情報は、前記光アクセスポイントからＵＥへの前の通信の前記ＵＥによってなされた測定に少なくとも部分的に基づく可視光通信（ＶＬＣ）チャネル品質情報を含む、
前記再符号化された情報を可視光通信（ＶＬＣ）チャネルを介して前記ユーザ機器デバイスに送信するための手段と
を備える、光アクセスポイント。
【請求項１４】
光アクセスポイントで使用するためのコンピュータプログラム製品であって、
少なくとも１つのコンピュータに、受信された符号化された情報を復号して、ユーザ機器デバイスに通信されることになる情報を回復させるためのコードと、
前記少なくとも１つのコンピュータに、前記回復された情報を光チャネル品質情報の関数として符号化して、再符号化された情報を生成させるためのコードと、前記再符号化された情報を生成するために使用される前記光チャネル品質情報は、前記光アクセスポイントからＵＥへの前の通信の前記ＵＥによってなされた測定に少なくとも部分的に基づく可視光通信（ＶＬＣ）チャネル品質情報を含む、
前記少なくとも１つのコンピュータに、前記再符号化された情報を可視光通信（ＶＬＣ）チャネルを介して前記ユーザ機器デバイスに送信させるためのコードと
を備える非一時的コンピュータ可読媒体
を備える、コンピュータプログラム製品。
【請求項１５】
ワイヤレスインターフェースを含む電力線通信（ＰＬＣ）ゲートウェイデバイスを動作させる方法であって、
ユーザ機器デバイスから可視光通信（ＶＬＣ）チャネル品質情報を含むチャネル品質フィードバック情報を前記ワイヤレスインターフェースを介して受信することと、
前記ＵＥデバイスと光通信する光アクセスポイントに前記ＶＬＣチャネル品質情報を電力線を介して送信することと、前記ＶＬＣチャネル品質情報は、前記光アクセスポイントから前記ＵＥデバイスへの前のＶＬＣ送信に基づく、
を備える、方法。
【請求項１６】
前記ＶＬＣチャネル品質情報が、ＶＬＣ変調キャリアごとのＳＮＲ情報を含む、請求項１５に記載の方法。
【請求項１７】
電力線通信（ＰＬＣ）チャネル品質フィードバック情報を前記ワイヤレスインターフェースを介して前記ＵＥデバイスから受信すること、前記ＰＬＣチャネル品質フィードバック情報は、前記ＰＬＣゲートウェイデバイスから前記光アクセスポイントへの前のＰＬＣ送信に基づく、
をさらに備える、請求項１５に記載の方法。
【請求項１８】
前記電力線通信チャネル品質フィードバック情報が、前記光アクセスポイントから前記ＵＥデバイスによって受信された、請求項１７に記載の方法。
【請求項１９】
前記電力線通信チャネル品質フィードバック情報が、ＳＮＲ値またはＳＮＲ値の関数である情報を含む、請求項１８に記載の方法。
【請求項２０】
ワイヤレスインターフェースを含む電力線通信（ＰＬＣ）ゲートウェイデバイスであって、
可視光通信（ＶＬＣ）チャネル品質情報を含むチャネル品質フィードバック情報を前記ワイヤレスインターフェースを介してユーザ機器デバイスから受信するための手段と、
前記ＶＬＣチャネル品質情報を前記ＵＥデバイスと光通信する光アクセスポイントに電力線を介して送信するための手段と、前記ＶＬＣチャネル品質情報は前記光アクセスポイントから前記ＵＥデバイスへの前のＶＬＣ送信に基づく、
を備える、ＰＬＣゲートウェイデバイス。
【請求項２１】
ワイヤレスインターフェースを含む電力線通信（ＰＬＣ）ゲートウェイデバイスで使用するためのコンピュータプログラム製品であって、
少なくとも１つのコンピュータに、前記ワイヤレスインターフェースを介してユーザ機器デバイスからＶＬＣチャネル品質情報を含むチャネル品質フィードバック情報を受信させるためのコードと、
前記少なくとも１つのコンピュータに、前記ＶＬＣチャネル品質情報を、電力線を介して、前記ＵＥデバイスと光通信する光アクセスポイントに送信させるためのコードと、前記ＶＬＣチャネル品質情報は前記光アクセスポイントから前記ＵＥデバイスへの前のＶＬＣ送信に基づく、
を備える非一時的コンピュータ可読媒体
を備える、コンピュータプログラム製品。